(57)【特許請求の範囲】
【請求項１】
接続先のセルを選択する情報処理装置であって、
複数のバンドのうち特定のバンドに属する複数のセルであって接続先の候補である複数のセルの各々に関する第一のパラメータと第二のパラメータとを取得する取得部と、
前記複数のセルの中から接続先のセルを選択する選択部と、
を有し、
前記選択部は、前記接続先の候補である複数のセルのうち、前記第一のパラメータが所定の値以上である複数のセルについて、該複数のセルの各々に関する前記第二のパラメータの値の大きさを比較することで、前記第一のパラメータが所定の値以上である複数のセルの中から接続先のセルを選択し、
前記選択部は、
前記複数のバンドのいずれかに属する複数のセルであって接続先の候補である複数のセルの中から前記複数のバンドごとに接続先のセルを選択し、
前記複数のバンドごとに選択された複数の接続先のセルの各々に関する前記第一のパラメータ及び前記第二のパラメータのうち少なくともいずれか一方のパラメータに対してバンドごとの重み係数を用いて重みづけを行い、
前記複数のバンドごとに選択された複数の接続先のセルのうち、前記第一のパラメータが所定の値以上である該複数の接続先セルについて、該複数の接続先セルの各々に関する前記第二のパラメータの値の大きさを比較することで、前記第一のパラメータが所定の値以上である該複数の接続先セルの中から、最終的な接続先セルを選択する、
情報処理装置。
【請求項２】
前記第一のパラメータは、セルの受信品質であり、
前記第二のパラメータは、接続中の端末数、又は、セルにおける最大スループットから該セルで確立されている１以上のコネクションあたりの平均通信速度の和を減算することで算出される利用可能帯域若しくはセルにおけるシステム帯域幅から該セルで確立されている１以上のコネクションあたりの平均消費帯域幅の和を減算することで算出される利用可能帯域である、
請求項１に記載の情報処理装置。
【請求項３】
前記選択部は、前記接続先の候補である複数のセルのうち、セルの受信品質の値が、該接続先の候補である複数のセルの受信品質の値のうち最大の値から所定の閾値を減算することで求められる所定の値以上である複数のセルについて、該複数のセルの各々に関する接続中の端末数が最も多いセル以外のセルを、接続先のセルとして選択する、
請求項２に記載の情報処理装置。
【請求項４】
前記バンドごとの重み係数を算出する算出部、を有し、
前記算出部は、前記複数のバンドの特性を示す評価指標ごとの重み配分と、端末又はサービスの特徴と前記評価指標との関係を示す重み配分とを乗算することで前記バンドごとの重み係数を算出する、
請求項１に記載の情報処理装置。
【請求項５】
前記バンドごとの重み係数は、前記バンドごとに予め定められた値である、
請求項１に記載の情報処理装置。
【発明の詳細な説明】
【技術分野】
【０００１】
本発明は、情報処理装置に関する。
【背景技術】
【０００２】
ＬＴＥ（Long Term Evolution）では、システム容量の更なる大容量化、データ伝送速度の更なる高速化、無線区間における更なる低遅延化などを実現するために、５Ｇと呼ばれる無線通信方式の検討が進んでいる。
【０００３】
５Ｇが実現される時代には、図１（ａ）に示すように周波数が大きく異なる複数のバンドで構成されるセルが多様にオーバーレイされた無線通信システムが実現されることが想定される。図１（ｂ）の例では、カバレッ確保を目的とするマクロセルと、キャパティ確保を目的とするスモールセル／スポットセル／ムービングセル／無線ＬＡＮがオーバーレイされており、端末はマクロセルを介してＣ−ｐｌａｎｅ通信を行い、スモールセル／スポットセル／ムービングセル／無線ＬＡＮを様々に使い分けながらＵ−ｐｌａｎｅ通信を行っている。
【先行技術文献】
【非特許文献】
【０００４】
【非特許文献１】株式会社ＮＴＴドコモ、"ドコモ５Ｇホワイトペーパー"、２０１４年９月
【非特許文献２】３ＧＰＰ  ＴＳ２５．１３３  Ｖ１３．１．０（２０１６−０３）
【発明の概要】
【発明が解決しようとする課題】
【０００５】
従来のセルラネットワークを対象にしたセル選択制御（例えば非特許文献２）を図２（ａ）に示す。図２（ａ）に示すように、従来のセルラネットワークでは、端末は、候補となる複数のセルのうち受信品質（ＳＩＮＲ：Signal−to−Interference plus Noise power Ratio）が最大となるセルに接続を試みる。
【０００６】
大都市など多数の建造物が乱立するような環境においては、端末の位置及び端末の移動経路などは建造物及び道路の位置の影響を大きく受けることになる。このような環境ではセルの配置が制限されると共に、５Ｇでは従来よりも幅広い周波数を利用することから、電波の伝搬環境が従来以上に複雑化することになる。そのため、従来のセルラネットワークを対象にしたセル選択制御では、図２（ｂ）に示すように、セル間で接続端末数に偏りが生じてしまい、スループット特性の低下及び無線リソースの無駄などが生じる可能性が高いと考えられる。
【０００７】
開示の技術は上記に鑑みてなされたものであって、端末が接続可能な複数の候補セルのうち、接続先セルの選択を適切に行うことを可能とする技術を提供することを目的とする。
【課題を解決するための手段】
【０００８】
開示の技術の情報処理装置は、接続先のセルを選択する情報処理装置であって、複数のバンドのうち特定のバンドに属する複数のセルであって接続先の候補である複数のセルの各々に関する第一のパラメータと第二のパラメータとを取得する取得部と、前記複数のセルの中から接続先のセルを選択する選択部と、を有し、前記選択部は、前記接続先の候補である複数のセルのうち、前記第一のパラメータが所定の値以上である複数のセルについて、該複数のセルの各々に関する前記第二のパラメータの値の大きさを比較することで、前記第一のパラメータが所定の値以上である複数のセルの中から接続先のセルを選択し、前記選択部は、前記複数のバンドのいずれかに属する複数のセルであって接続先の候補である複数のセルの中から前記複数のバンドごとに接続先のセルを選択し、前記複数のバンドごとに選択された複数の接続先のセルの各々に関する前記第一のパラメータ及び前記第二のパラメータのうち少なくともいずれか一方のパラメータに対してバンドごとの重み係数を用いて重みづけを行い、前記複数のバンドごとに選択された複数の接続先のセルのうち、前記第一のパラメータが所定の値以上である該複数の接続先セルについて、該複数の接続先セルの各々に関する前記第二のパラメータの値の大きさを比較することで、前記第一のパラメータが所定の値以上である該複数の接続先セルの中から、最終的な接続先セルを選択する。
【発明の効果】
【０００９】
開示の技術によれば、端末が接続可能な複数の候補セルのうち、接続先セルの選択を適切に行うことを可能とする技術が提供される。
【図面の簡単な説明】
【００１０】
【図１】セルが多様にオーバーレイされた無線通信システムの一例を示す図である。
【図２】課題を説明するための図である。
【図３】第一の実施の形態に係る無線通信システムの構成例を示す図である。
【図４】第一の実施の形態に係る管理装置の機能ブロック構成の一例を示す図である。
【図５】第一の実施の形態に係る管理装置のハードウェア構成の一例を示す図である。
【図６】第一の実施の形態に係る管理装置が行う処理手順の一例を示すフローチャートである。
【図７】第一の実施の形態に係る選択方法の具体例（その１−１）を説明するための図である。
【図８】平均通信速度の一例を示す図である。
【図９】第一の実施の形態に係る選択方法の具体例（その１−２）を説明するための図である。
【図１０】第一の実施の形態に係る選択方法の具体例（その１−３）を説明するための図である。
【図１１】課題を説明するための図である。
【図１２】第二の実施の形態に係る管理装置の機能ブロック構成の一例を示す図である。
【図１３】第二の実施の形態に係る管理装置が行う処理手順の一例を示すフローチャートである。
【図１４】各バンドの特性を示す評価指標ごとの重み配分の一例を示す図である。
【図１５】端末又はサービスの特徴と各バンドの特性を示す評価指標との関係を示す重み配分の一例を示す図である。
【図１６】重み係数の算出例を示す図である。
【図１７】接続端末数が補正された場合の選択方法の具体例を説明するための図である。
【図１８】ＳＩＮＲが補正された場合の選択方法の具体例を説明するための図である。
【図１９】利用可能帯域が補正された場合の選択方法の具体例を説明するための図である。
【発明を実施するための形態】
【００１１】
以下、図面を参照して本発明の実施の形態を説明する。なお、以下で説明する実施の形態は一例に過ぎず、本発明が適用される実施の形態は、以下の実施の形態に限られるわけではない。本実施の形態に係る無線通信システムは、ＵＭＴＳ、ＬＴＥ、ＬＴＥ−Ａ又は５Ｇなどの無線アクセス技術（ＲＡＴ：Radio Access Technology）を用いたセルラーシステム、及び、無線ＬＡＮなどの無線アクセス技術を用いたシステムを含むあらゆる無線通信システムに適用することができる。
【００１２】
＜＜第一の実施の形態＞＞
＜システム構成＞
図３は、第一の実施の形態に係る無線通信システムの構成例を示す図である。第一の実施の形態に係る無線通信システムは、管理装置１０と基地局２０ａと基地局２０ｂと基地局２０ｃと基地局２０ｄと端末３０とを有しており、周波数が異なる複数のバンドで構成されるセルが多様にオーバーレイされている。以下の説明において、基地局２０ａと基地局２０ｂと基地局２０ｃと基地局２０ｄとを区別しない場合は、「基地局２０」と記載する。図３では端末３０が１つ図示されているが、便宜上であり、無線通信システム内には複数の端末３０が存在していてもよい。
【００１３】
管理装置１０は、基地局２０ａ〜２０ｄに接続され、無線通信システム内に存在するセルに関する各種のパラメータ（例えば端末３０で測定されたセルの受信品質、各セルの接続端末数など）、端末３０ごとの特性、端末３０が利用するサービス、及び、各セルのトラフィック状態の管理などを行う。管理装置１０は、コアネットワーク装置（交換機、ＨＳＳなど）、及びコアネットワークに接続されたサーバ等を含む。
【００１４】
基地局２０ａはＵＨＦ帯を使用するマクロセルを形成し、基地局２０ｂはＳＨＦ帯を使用するスモールセルを形成し、基地局２０ｃはＥＨＦ帯を使用するスポットセル／ムービングセルを形成し、基地局２０ｄは無線ＬＡＮ等を用いたセルを形成している。これらのセルは、それぞれ異なるバンドのセルである前提とする。図３では、４つのバンドのセルがオーバーレイされているが、本無線通信システムは、５つ以上のバンドのセルがオーバーレイされる構成であってもよいし、３以下のバンドのセルがオーバーレイされる構成であってもよい。また、図３の例ではマクロセルは１つ図示されているが、複数のマクロセルを含んでいてもよい。
【００１５】
また、第一の実施の形態では、マクロセルはＬＴＥ方式であり、スモールセル及びスポットセル／ムービングセルは５Ｇで検討されている新たな通信方式であることを想定しているが、これに限られず、各バンドで用いられる無線アクセス技術（ＲＡＴ）は同一であってもよいし異なる無線アクセス技術であってもよい。各バンドで用いられる無線アクセス技術はどのような技術であってもよいが、例えば、ＧＳＭ（登録商標）、ＵＭＴＳ、ＬＴＥ、ＬＴＥ−Ａ、５Ｇ、無線ＬＡＮ、又はＷｉＧｉｇ（ＩＥＥＥ８０２．１１ａｄ）などである。すなわち、図３はあくまで一例であり、以下に説明する実施の形態はこれに限定されることを意図しているのではない。本無線通信システムは、ＬＴＥ方式、５Ｇで検討されている新たな通信方式、無線ＬＡＮの方式など、様々な無線アクセス技術（ＲＡＴ）を用いたセルがオーバーレイされている構成をとり得る。
【００１６】
端末３０は、１又は複数のセルと接続し、基地局２０及び管理装置１０と通信する機能を有する。なお、「セルに接続」とは、セルに在圏すること、セルにアタッチすること、セルにＨＯすること、セルに再接続すること等を含む。
【００１７】
本無線通信システムでは、管理装置１０は、各バンドにおいて端末３０が接続可能な複数の候補セル（以下、「接続候補セル」と呼ぶ）の中から接続先のセル（以下、「接続先セル」と呼ぶ）を選択し、端末３０は管理装置１０で選択された接続先セルに接続して通信を行う。なお、管理装置１０が行う接続先セルの選択処理は、管理装置１０に限られず、基地局２０及び端末３０のうち任意の装置でも実行可能である。以下の説明では、接続先セルの選択処理を管理装置１０が行う前提で説明するが、管理装置１０の各機能は基地局２０に実装されていてもよいし、端末３０に実装されていてもよい。
【００１８】
＜機能ブロック構成＞
図４は、第一の実施の形態に係る管理装置の機能ブロック構成の一例を示す図である。図４に示すように、管理装置１０は、通信部１０１と、取得部１０２と、選択部１０３とを有する。図４は、第一の実施の形態における主要な機能部のみを示すものであり、例えば、各種の無線アクセス技術に対応した動作を行うための図示しない機能も有するものである。これら各部は、管理装置１０にインストールされた１以上のプログラムが、ＣＰＵ１０１に実行させる処理により実現され得る。
【００１９】
通信部１０１は、無線又は有線を通じてデータの送受信を行う機能を有する。取得部１０２は、接続候補セルの各々に関する各種の複数のパラメータを取得する機能を有する。例えば、取得部１０２は、複数のバンドのうち特定のバンドに属する接続候補セルの各々に関する第一のパラメータと第二のパラメータとを取得するようにしてもよい。
【００２０】
選択部１０３は、接続候補セルの中から接続先のセルを選択する機能を有する。また、選択部１０３は、接続候補セルのうち、第一のパラメータが所定の値以上である複数のセルについて、該複数のセルの各々に関する第二のパラメータの値の大きさを比較することで、第一のパラメータが所定の値以上である複数のセルの中から接続先のセルを選択するようにしてもよい。
【００２１】
＜ハードウェア構成＞
図４は機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００２２】
例えば、第一の実施の形態における管理装置１０は、本発明の処理方法の処理を行うコンピュータとして機能してもよい。図５は、第一の実施の形態に係る管理装置のハードウェア構成の一例を示す図である。上述の管理装置１０は、物理的には、プロセッサ１００１、メモリ１００２、ストレージ１００３、通信装置１００４、入力装置１００５、出力装置１００６、バス１００７などを含むコンピュータ装置として構成されてもよい。
【００２３】
なお、以下の説明では、「装置」という文言は、回路、デバイス、ユニットなどに読み替えることができる。管理装置１０のハードウェア構成は、図に示した各装置を１つ又は複数含むように構成されてもよいし、一部の装置を含まずに構成されてもよい。
【００２４】
管理装置１０における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００２５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、管理装置１０の通信部１０１、取得部１０２、及び選択部１０３は、プロセッサ１００１で実現されてもよい。
【００２６】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、実施の形態で説明する動作の少なくとも一部をコンピュータに実行させるプログラムが用いられる。例えば、管理装置１０の通信部１０１、取得部１０２、及び選択部１０３は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００２７】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、第一の実施の形態に係る処理方法を実施するために実行可能なプログラム（プログラムコード）、ソフトウェアモジュールなどを保存することができる。
【００２８】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００２９】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、管理装置１０の通信部１０１は、通信装置１００４で実現されてもよい。
【００３０】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００３１】
また、プロセッサ１００１やメモリ１００２などの各装置は、情報を通信するためのバス１００７で接続される。バス１００７は、単一のバスで構成されてもよいし、装置間で異なるバスで構成されてもよい。
【００３２】
また、管理装置１０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００３３】
＜処理手順＞
続いて、第一の実施の形態に係る無線通信システムが行う処理手順について具体的に説明する。第一の実施の形態では、管理装置１０は、複数のバンドのうち特定のバンドにおいて端末３０が接続可能な複数の接続候補セルの中から接続先のセルを選択する。
【００３４】
図６は、第一の実施の形態に係る管理装置が行う処理手順の一例を示すフローチャートである。
【００３５】
まず、管理装置１０の取得部１０２は、特定のバンド内の複数の接続候補セルごとに、接続候補セルに関する２種類のパラメータを取得する（Ｓ１０１）。続いて、管理装置１０の選択部１０３は、複数の接続候補セルごとの２種類のパラメータに基づいて接続先セルを１つ選択する（Ｓ１０２）。
【００３６】
より具体的には、選択部１０３は、２種類のパラメータのうち一方のパラメータが所定の値以上である複数の接続候補セルを抽出する。続いて、選択部１０３は、抽出した複数の接続候補セルの各々について他方のパラメータの値の大きさを比較することで、当該他方のパラメータの値が大きい（又は小さい）接続候補セルを接続先セルとして選択する。以下、図を参照しつつ複数の具体例を説明する。
【００３７】
（選択方法の具体例（その１−１））
選択方法の具体例（その１−１）では、接続候補セルに関する２種類のパラメータは、接続候補セルの受信品質（ＳＩＮＲ）と、接続候補セルに接続している端末数（接続端末数）である。
【００３８】
図７は、第一の実施の形態に係る選択方法の具体例（その１−１）を説明するための図である。図７（他の図も同様）において、「Ｐ１」は、接続候補セルのうち最もＳＩＮＲが高いセルのＳＩＮＲを意味している。また、「ＣＴ（Connection Threshold）：接続閾値」は、接続候補セルのうちＳＩＮＲが低いセルを選択対象から外すために用いられる閾値である。
【００３９】
選択方法の具体例（その１−１）では、選択部１０３は、ＳＩＮＲが「Ｐ１−ＣＴ」以上であり、かつ、接続端末数が少ない接続候補セルを接続先セルとして選択する。接続端末数が少ない接続候補セルとは、接続端末数が最も多い接続候補セル以外の接続候補セルでもよいし、接続端末数が最も少ない接続候補セルでもよい。
【００４０】
また、選択方法の具体例（その１−１）では、以下の方法によりセルの探索を行うことで、接続端末数が少ない接続候補セルを接続先セルとして選択するようにしてもよい。まず、選択部１０３は、接続候補セルのうち、ＳＩＮＲが「Ｐ１−ＣＴ」以上である接続候補セルを抽出し、抽出した接続候補セルについてＳＩＮＲが大きい順に、"ＳＩＮＲが大きい接続候補セル"の接続端末数と"次にＳＩＮＲが大きい接続候補セル"の接続端末数とを順に比較していく。選択部１０３は、"次にＳＩＮＲが大きい接続候補セル"の接続端末数が、"ＳＩＮＲが大きい接続候補セル"の接続端末数よりも大きいことを検出した時点で比較を中止し、その時点の"ＳＩＮＲが大きい接続候補セル"を接続先セルとして選択する。
【００４１】
図７を用いて具体的に説明する。図７の例では、Ｃ１〜Ｃ５のセルのうち、ＳＩＮＲが「Ｐ１−ＣＴ」以上であるＣ１〜Ｃ４のセルが抽出される。選択部１０３は、抽出された接続候補セルのうち、受信ＳＩＮＲが最も大きい接続候補セル（Ｃ１）の接続端末数と、２番目にＳＩＮＲが大きい接続候補セル（Ｃ２）の接続端末数とを比較する。続いて、選択部１０３は、２番目にＳＩＮＲが大きい接続候補セル（Ｃ２）の接続端末数と、３番目にＳＩＮＲが大きい接続候補セル（Ｃ３）の接続端末数とを比較する。ここで、３番目にＳＩＮＲが大きい接続候補セル（Ｃ３）の接続端末数が、２番目にＳＩＮＲが大きい接続候補セル（Ｃ２）の接続端末数よりも大きいため、２番目にＳＩＮＲが大きい接続候補セル（Ｃ２）が接続先セルとして選択される。
【００４２】
また、他の例として、選択部１０３は、以下の方法によりセルの探索を行うことで、接続端末数が少ない接続候補セルを接続先セルとして選択するようにしてもよい。まず、選択部１０３は、接続候補セルのうち、ＳＩＮＲが「Ｐ１−ＣＴ」以上である接続候補セルを抽出し、抽出した接続候補セルについて接続端末数が少ない順に、"接続端末数が少ない接続候補セル"のＳＩＮＲと"次に接続端末数が少ない接続候補セル"のＳＩＮＲとを順に比較していく。選択部１０３は、"次に接続端末数が少ない接続候補セル"のＳＩＮＲが、"接続端末数が少ない接続候補セル"のＳＩＮＲよりも小さいことを検出した時点で比較を中止し、その時点の"接続端末数が少ない接続候補セル"を接続先セルとして選択するようにしてもよい。
【００４３】
図７を用いて具体的に説明する。図７の例では、Ｃ１〜Ｃ５のセルのうち、ＳＩＮＲが「Ｐ１−ＣＴ」以上であるＣ１〜Ｃ４のセルが抽出される。選択部１０３は、抽出された接続候補セルのうち、接続端末数が最も少ない接続候補セル（Ｃ４）のＳＩＮＲと、２番目に接続端末数が少ない接続候補セル（Ｃ２）のＳＩＮＲとを比較する。続いて、選択部１０３は、２番目に接続端末数が少ない接続候補セル（Ｃ２）のＳＩＮＲと、３番目に接続端末数が少ない接続候補セル（Ｃ３）のＳＩＮＲとを比較する。ここで、３番目に接続端末数が少ない接続候補セル（Ｃ３）のＳＩＮＲが、２番目に接続端末数が少ない接続候補セル（Ｃ２）のＳＩＮＲよりも小さいため、２番目に接続端末数が少ない接続候補セル（Ｃ２）が接続先セルとして選択される。
【００４４】
（選択方法の具体例（その１−２））
選択方法の具体例（その１−２）では、接続候補セルに関する２種類のパラメータは、接続候補セルのＳＩＮＲと、接続候補セルにおいて利用可能と推定される空き帯域（以下、「利用可能帯域」と呼ぶ）である。ここで、利用可能帯域における"帯域"とは、以下に示すように、通信速度（ｂｐｓ）又は帯域（Ｈｚ）のうちいずれかを意図している。
【００４５】
［通信速度（ｂｐｓ）を意図する場合について］
近年、インターネット等では通信速度が速い回線をブロードバンドと呼ぶように"帯域が広い＝通信速度が速い"ことを意味する場合が多く、その意味で通信速度（ｂｐｓ）を"帯域"と表現する。この場合、接続候補セルの「利用可能帯域」は、以下の式で算出される。
「利用可能帯域」＝（１秒あたりの接続候補セルの最大スループット）−Σ｛（接続候補セルで確立されているコネクション毎の平均通信速度）｝
ここで、「コネクション毎の平均通信速度」とは、セルが混雑していない場合（セルの無線リソースに空きがある場合）における平均的な通信速度を意味している。「コネクション毎の平均通信速度」の例を図８に示す。例えば、Ｗｅｂブラウジングの場合、平均３Ｍｂｐｓを使用することを示しており、ＦＴＰの場合、平均５０Ｍｂｐｓを使用することを示している。これらの平均通信速度は、例えば、トラフィックモデル（ＷｅｂブラウジングやＦＴＰのトラフィックモデル）における１トラフィックあたりのデータ量を生起時間で時間平均することで算出されてもよい。
【００４６】
例えば、最大スループットが１Ｇｂｐｓであるスポットセルにおいて、ＦＴＰのコネクションが１０コネクション確立されており、Ｗｅｂブラウジングのコネクションが２０コネクション確立されている場合、"利用可能帯域"は、「１０００Ｍｂｐｓ−（５０Ｍｂｐｓ×１０＋３Ｍｂｐｓ×２０）＝４４０Ｍｂｐｓ」となる。なお、接続候補セルに大量のコネクションが確立されている場合（つまり、セルが混雑している場合）、"利用可能帯域"は０未満（負の数）にもなり得る。例えば、ＦＴＰのコネクションが２０コネクション確立されており、Ｗｅｂブラウジングのコネクションが２０コネクション確立されている場合、"利用可能帯域"は、「１０００Ｍｂｐｓ−（５０Ｍｂｐｓ×２０＋３Ｍｂｐｓ×２０）＝−６０Ｍｂｐｓ」となる。この場合、各コネクションにおいて図８に示す平均通信速度が出ていない状態（利用者は通信速度が遅いと感じているような状態）であることを意味する。
【００４７】
［帯域（Ｈｚ）を意図する場合について］
コネクション毎の平均通信速度（図８）に基づいて、コネクション毎に必要な帯域幅（Ｈｚ）を予め決定しておき、システム帯域幅（Ｈｚ）からコネクション毎に必要な帯域幅（Ｈｚ）を減算した値を利用可能帯域とする。より具体的には、「利用可能帯域」は以下の式で算出される。
「利用可能帯域」＝（システム帯域幅）−Σ｛（接続候補セルで確立されているコネクション毎に必要な帯域幅）｝
ここで、コネクション毎に必要な帯域幅（Ｈｚ）は、所定の通信速度による通信が行われる場合に、平均的に消費される帯域幅（Ｈｚ）を意味している。所定の通信速度を確保するためにどの程度の帯域幅（無線リソース）を割当てるのかについては基地局２０のスケジューリング方法（無線リソースの量、変調方式及び符号化レート）に依存するため、本実施の形態では、コネクション毎に必要な帯域幅（Ｈｚ）を測定結果に基づいて予め決定しておくようにしてもよい。一例として、ＬＴＥの場合、端末３０から基地局２０に報告されるＲＳＲＱ（Receiving Signal Received Quality）の値と下りリンクの通信速度とＰＤＳＣＨ（Physical Downlink Shared Channel）の割当て帯域幅（ＲＢ（Resource Block）数）との関係を測定しておくことで、ＲＳＲＱの値に応じてコネクション毎の平均通信速度を確保する場合に消費される帯域幅を決定することができる。なお、管理装置１０は、コネクション毎に必要な帯域幅を、各コネクションにおいて端末３０で測定されるＲＳＲＱの値と上述の測定結果とを比較することでその都度判断してもよいし、ＲＳＲＱの値がセルにおける平均値である場合に必要な帯域幅としてもよい。後者の場合、例えば、ＲＳＲＱの値がセルにおける平均値である場合において、１０Ｍｂｐｓの速度を確保するために消費される帯域幅が２Ｍｈｚである場合、図８に示すＦＴＰのコネクションでは、平均的に２０ＭＨｚの帯域幅を消費すると決定することができる。
【００４８】
なお、接続候補セルに大量のコネクションが確立されている場合（つまり、セルが混雑している場合）、"利用可能帯域"は０未満（負の数）にもなり得る。例えば、システム帯域幅が２００ＭＨｚであり、ＦＴＰコネクションあたり平均的に２０ＭＨｚの帯域幅を消費すると決定されており、かつ、ＦＴＰのコネクションが２０コネクション確立されている場合、"利用可能帯域"は、「２００ＭＨｚ−（２０ＭＨｚ×２０）＝−２００ＭＨｚ」となる。この場合、各コネクションにおいて図８に示す平均通信速度が出ていない状態（利用者は通信速度が遅いと感じているような状態）であることを意味する。
【００４９】
選択方法の具体例（その１−２）では、選択部１０３は、ＳＩＮＲが「Ｐ１−ＣＴ」以上であり、かつ、利用可能帯域が多い接続候補セルを接続先セルとして選択する。利用可能帯域が多い接続候補セルとは、利用可能帯域が最も少ない接続候補セル以外の接続候補セルでもよいし、利用可能帯域が最も多い接続候補セルでもよい。
【００５０】
また、選択方法の具体例（その１−２）では、以下の方法によりセルの探索を行うことで、利用可能帯域が多い接続候補セルを接続先セルとして選択するようにしてもよい。まず、選択部１０３は、接続候補セルのうち、ＳＩＮＲが「Ｐ１−ＣＴ」以上である接続候補セルを抽出し、抽出した接続候補セルについてＳＩＮＲが大きい順に、"ＳＩＮＲが大きい接続候補セル"の利用可能帯域と"次にＳＩＮＲが大きい接続候補セル"の利用可能帯域とを順に比較していく。選択部１０３は、"次にＳＩＮＲが大きい接続候補セル"の利用可能帯域が、"ＳＩＮＲが大きい接続候補セル"の利用可能帯域よりも少ないことを検出した時点で比較を中止し、その時点の"ＳＩＮＲが大きい接続候補セル"を接続先セルとして選択する。
【００５１】
図９は、第一の実施の形態に係る選択方法の具体例（その１−２）を説明するための図である。図９を用いて具体的に説明する。図９の例では、Ｃ１〜Ｃ５のセルのうち、ＳＩＮＲが「Ｐ１−ＣＴ」以上であるＣ１〜Ｃ４のセルが抽出される。選択部１０３は、抽出された接続候補セルのうち、ＳＩＮＲが最も大きい接続候補セル（Ｃ１）の利用可能帯域と、２番目にＳＩＮＲが大きい接続候補セル（Ｃ２）の利用可能帯域とを比較する。続いて、選択部１０３は、２番目にＳＩＮＲが大きい接続候補セル（Ｃ２）の利用可能帯域と、３番目にＳＩＮＲが大きい接続候補セル（Ｃ３）の利用可能帯域とを比較する。続いて、選択部１０３は、３番目にＳＩＮＲが大きい接続候補セル（Ｃ３）の利用可能帯域と、４番目にＳＩＮＲが大きい接続候補セル（Ｃ４）の利用可能帯域とを比較する。ここで、４番目にＳＩＮＲが大きい接続候補セル（Ｃ４）の利用可能帯域が、３番目にＳＩＮＲが大きい接続候補セル（Ｃ３）の利用可能帯域よりも小さいため、３番目にＳＩＮＲが大きい接続候補セル（Ｃ３）が接続先セルとして選択される。
【００５２】
また、他の例として、選択部１０３は、以下の方法によりセルの探索を行うことで、利用可能帯域が多い接続候補セルを接続先セルとして選択するようにしてもよい。まず、選択部１０３は、接続候補セルのうち、ＳＩＮＲが「Ｐ１−ＣＴ」以上である接続候補セルを抽出し、抽出した接続候補セルについて利用可能帯域が少ない順に、"利用可能帯域が少ない接続候補セル"のＳＩＮＲと"次に利用可能帯域が少ない接続候補セル"のＳＩＮＲとを順に比較していく。選択部１０３は、"次に利用可能帯域が少ない接続候補セル"のＳＩＮＲが、"利用可能帯域が少ない接続候補セル"のＳＩＮＲよりも小さいことを検出した時点で比較を中止し、その時点の"次に接続端末数が少ない接続候補セル"を接続先セルとして選択するようにしてもよい。
【００５３】
図９を用いて具体的に説明する。図９の例では、Ｃ１〜Ｃ５のセルのうち、ＳＩＮＲが「Ｐ１−ＣＴ」以上であるＣ１〜Ｃ４のセルが抽出される。選択部１０３は、抽出された接続候補セルのうち、利用可能帯域が最も少ない接続候補セル（Ｃ１）のＳＩＮＲと、２番目に利用可能帯域が少ない接続候補セル（Ｃ４）のＳＩＮＲとを比較する。ここで、２番目に利用可能帯域が少ない接続候補セル（Ｃ４）のＳＩＮＲが、利用可能帯域が最も少ない接続候補セル（Ｃ１）のＳＩＮＲよりも小さいため、２番目に利用可能帯域が少ない接続候補セル（Ｃ４）が接続先セルとして選択される。
【００５４】
（選択方法の具体例（その１−３））
選択方法の具体例（その１−３）では、選択方法の具体例（その１−２）と同様、接続候補セルに関する２種類のパラメータは、接続候補セルのＳＩＮＲと、接続候補セルの利用可能帯域である。
【００５５】
選択方法の具体例（その１−３）では、選択部１０３は、ＳＩＮＲが「Ｐ１−ＣＴ」以上であり、かつ、利用可能帯域が０以上である接続候補セル（つまり、利用可能帯域に余裕があるセル）を接続先セルとして選択する。
【００５６】
また、選択方法の具体例（その１−２）では、以下の方法によりセルの探索を行うことで、利用可能帯域が０以上である接続候補セルを接続先セルとして選択するようにしてもよい。まず、選択部１０３は、接続候補セルのうち、ＳＩＮＲが「Ｐ１−ＣＴ」以上である接続候補セルを抽出し、抽出した接続候補セルについてＳＩＮＲが大きい順に、利用可能帯域が０以上であるか否かを確認する。選択部１０３は、利用可能帯域が０以上であることを検出した時点で、その時点の接続候補セルを接続先セルとして選択する。
【００５７】
図１０は、第一の実施の形態に係る選択方法の具体例（その１−３）を説明するための図である。図１０を用いて具体的に説明する。図１０の例では、Ｃ１〜Ｃ５のセルのうち、ＳＩＮＲが「Ｐ１−ＣＴ」以上であるＣ１〜Ｃ４のセルが抽出される。選択部１０３は、抽出された接続候補セルのうち、受信ＳＩＮＲが最も大きい接続候補セル（Ｃ１）の利用可能帯域が０以上であるか否かを確認する。続いて、選択部１０３は、２番目に受信ＳＩＮＲが大きい接続候補セル（Ｃ２）の利用可能帯域が０以上であるか否かを確認する。ここで、２番目にＳＩＮＲが大きい接続候補セル（Ｃ２）の利用可能帯域が０以上であるため、２番目にＳＩＮＲが大きい接続候補セル（Ｃ２）が接続先セルとして選択される。
【００５８】
また、他の例として、選択部１０３は、以下の方法によりセルの探索を行うことで、利用可能帯域が０以上である接続候補セルを接続先セルとして選択するようにしてもよい。まず、選択部１０３は、接続候補セルのうち、利用可能帯域が０以上である接続候補セルを抽出し、抽出した接続候補セルについて利用可能帯域が小さい順に、ＳＩＮＲが「Ｐ１−ＣＴ」以上であるか否かを確認する。選択部１０３は、ＳＩＮＲが「Ｐ１−ＣＴ」以上であることを検出した時点で、その時点の接続候補セルを接続先セルとして選択する。
【００５９】
図１０を用いて具体的に説明する。図１０の例では、Ｃ１〜Ｃ５のセルのうち、利用可能帯域が０以上であるＣ２及びＣ３のセルが抽出される。選択部１０３は、抽出された接続候補セルのうち、利用可能帯域が最も小さい接続候補セル（Ｃ２）のＳＩＮＲが「Ｐ１−ＣＴ」以上であるか否かを確認する。ここで、利用可能帯域が最も小さい接続候補セル（Ｃ２）のＳＩＮＲは「Ｐ１−ＣＴ」以上であるため、利用可能帯域が最も小さい接続候補セル（Ｃ２）が接続先セルとして選択される。
【００６０】
（選択方法の具体例（その１−１〜１−３）に関する補足事項）
選択方法の具体例（その１−１〜１−３）で用いた「ＣＴ：接続閾値」の値は、予め固定的に規定されていてもよいし、動的に変更されるようにしてもよい。例えば、選択方法の具体例（その１−１〜１−３）で、選択部１０３は、接続候補セルのうち、ＳＩＮＲが「Ｐ１−ＣＴ」以上である接続候補セルを抽出するようにしたが、抽出された接続候補セルの数が所定の数より少ない場合はＣＴの値を下げるようにしてもよい。これにより、接続候補セルの数をある程度確保することが可能になる。
【００６１】
また、選択部１０３は、抽出された接続候補セルの数が所定の数より多い場合はＣＴの値を上げるようにしてもよい。これにより、セルの選択に要する処理負荷を下げることが可能になる。
【００６２】
また、選択部１０３は、選択方法の具体例（その１−１〜１−３）で、接続候補セルのうち、ＳＩＮＲが「Ｐ１−ＣＴ」以上である接続候補セルを抽出するのではなく、ＳＩＮＲが大きい順に所定の数の接続候補セルを抽出するようにしてもよい。
【００６３】
以上、第一の実施の形態について説明した。第一の実施の形態によれば、特定のバンド内に複数の接続候補セルが存在する場合に、接続先セルの選択を適切に行うことが可能になる。
【００６４】
＜＜第二の実施の形態＞＞
続いて、第二の実施の形態について説明する。従来のセルラネットワークを対象にしたセル選択制御（非特許文献２）では、そもそもオーバーレイされたセル間の特性が大きく変わらないことを前提としている。そのため、従来のセル選択制御では、基地局２０又は交換機は、複数のセルがオーバーレイされている場合に、接続候補セルの受信品質又は接続端末数などの単一の指標に基づいて接続先セルを選択するようにしていた。
【００６５】
一方、本無線通信システムのように、周波数が大きく異なる複数のバンドで構成されるセルが多様にオーバーレイされた無線通信システムでは、セル間の特性が大きく異なるため、単一の指標のみでは適切なセルに接続することができない可能性が高いと考えられる。例えば図１１に示すように、マクロセル、スモールセル、スポットセル及び無線ＬＡＮの４種類のセルがオーバーレイされている場合、ＳＩＮＲを指標とすると端末は低速なマクロセルに接続してしまい、接続端末数を指標とすると端末はセル切替時間の多い無線ＬＡＮのセルに接続してしまうことが想定される。
【００６６】
第二の実施の形態では、上述の課題を解決するため、複数のバンドで複数のセルがオーバーレイされた環境において、接続先セルの選択を適切に行うことを可能にする。なお、「＜システム構成＞」及び「＜ハードウェア構成＞」は第一の実施の形態と同一であるため説明は省略する。
【００６７】
＜機能ブロック構成＞
図１２は、第二の実施の形態に係る管理装置の機能ブロック構成の一例を示す図である。図１２において、第一の実施の形態と同一である機能については同一符号を付して説明を省略する。また、特に言及しない点は第一の実施の形態と同一でよい。図１２に示すように、管理装置１０は、通信部１０１と、取得部１０２と、選択部２０３と、算出部２０４とを有する。
【００６８】
選択部２０３は、接続候補セルの中から接続先のセルを選択する機能を有する。また、選択部２０３は、接続候補セルのうち、第一のパラメータが所定の値以上である複数のセルについて、該複数のセルの各々に関する第二のパラメータの値の大きさを比較することで、第一のパラメータが所定の値以上である複数のセルの中から接続先のセルを選択する。また、選択部２０３は、複数のバンドごとの接続候補セルの中から複数のバンドごとに接続先のセルを選択する。また、選択部２０３は、複数のバンドごとに選択された複数の接続先のセルの各々に関する第一のパラメータ及び第二のパラメータのうち少なくともいずれか一方のパラメータに対してバンドごとの重み係数を用いて重みづけを行い、複数のバンドごとに選択された複数の接続先のセルのうち、第一のパラメータが所定の値以上である該複数の接続先セルについて、該複数の接続先セルの各々に関する第二のパラメータの値の大きさを比較することで、第一のパラメータが所定の値以上である該複数の接続先セルの中から、最終的な接続先セルを選択する。
【００６９】
算出部２０４は、バンドごとの重み係数を算出する機能を有する。具体的な算出方法は後述する。
【００７０】
＜処理手順＞
続いて、第二の実施の形態に係る無線通信システムが行う処理手順について具体的に説明する。第二の実施の形態では、管理装置１０は、端末３０が接続可能な複数の接続候補セルの中から接続先セルを１つ選択する処理を、第一の実施の形態と同様の手順を用いてバンドごとに行い、更に、第二の実施の形態で説明する手順を用いて、バンドごとに１つずつ選択された接続先セルの中から最終的な接続先セルを１つ選択する。
【００７１】
なお、第二の実施の形態では、管理装置１０は、全てのバンドから最終的な接続先セルを１つ選択するようにしてもよい。例えば、図３に示すように４つのバンドが存在する場合、管理装置１０は、当該４つのバンドから最終的な接続先セルを１つ選択するようにしてもよい。
【００７２】
また、管理装置１０は、予め一部のバンドをグループ化しておき、グループ内から最終的な接続先セルを１つ選択するようにしてもよい。例えば、図３に示すように４つのバンドが存在する場合で、かつ、ＵＨＦのバンドとＥＨＦのバンドとがグループ化されている場合、管理装置１０は、ＵＨＦのバンドとＥＨＦのバンドの中で最終的な接続先セルを１つ選択するようにしてもよい。なお、更に、無線ＬＡＮのセルからも接続先セルを１つ選択するようにしてもよい。この場合、端末３０は、ＵＨＦのバンドとＥＨＦのバンドの中で最終的な接続先セルと、無線ＬＡＮのセルの２つのセルを用いて通信することができる。
【００７３】
また、管理装置１０は、各バンドからそれぞれ接続先セルを１つ選択するようにしてもよい。例えば、図３に示すように４つのバンドが存在する場合、管理装置１０は、ＵＨＦのバンドから接続先セルを１つ選択し、ＳＨＦのバンドから接続先セルを１つ選択し、ＥＨＦのバンドから接続先セルを１つ選択し、無線ＬＡＮのバンドから接続先セルを１つ選択するようにしてもよい。この場合、端末３０は、４つセルを用いて通信することができる。
【００７４】
図１３は、第二の実施の形態に係る管理装置が行う処理手順の一例を示すフローチャートである。
【００７５】
まず、管理装置１０の取得部１０２は、バンド内の複数の接続候補セルごとに、接続候補セルに関する２種類のパラメータを取得する（Ｓ２０１）。続いて、管理装置１０の選択部２０３は、複数の接続候補セルごとの２種類のパラメータに基づいて接続先セルを１つ選択する（Ｓ２０２）。なお、ステップＳ２０１及びステップＳ２０２の処理手順は、第一の実施の形態におけるステップＳ１０１及びステップＳ１０２と同一である。管理装置１０は、比較すべき全てのバンド（全てのバンド又はグループ化された全てのバンド）について接続先セルの選択が完了するまで、ステップＳ２０１及びステップＳ２０２の処理手順を繰り返す（Ｓ２０３）。続いて、算出部２０４は、比較すべきバンドごとの「重み係数」を算出する（Ｓ２０４）。ここで、重み係数の算出方法について図を参照しつつ具体的に説明する。
【００７６】
図１４は、各バンドの特性を示す評価指標ごとの重み配分の一例を示す図である。「各バンドの特性を示す評価指標」は、評価指標ごとに重み配分の合計値が１００になるように設定され、値が大きいバンドほど優位性が高いことを意味している。例えば、「（Ａ）バンド毎のシステム帯域幅」は、各バンドのシステム帯域幅の特性を示しており、重み配分の値が大きいほど、そのバンドの帯域幅が大きいことを意味している。なお、図１４に示す評価指標はあくまで一例であり、これに限られない。
【００７７】
図１５は、端末又はサービスの特徴と各バンドの特性を示す評価指標との関係を示す重み配分の一例を示す図である。図１５に示すテーブルは、縦軸に端末又はサービスの特徴を示す項目が列挙されており、横軸の（Ａ）〜（Ｈ）は、図１４の「各バンドの特性を示す評価指標」に対応している。図１５のテーブル内の重み配分の値は、端末又はサービスの特徴ごとに、各バンドの特性を示す評価指標のうちどの評価指標を採用／重視するかを示しており、採用しない（評価しない）評価指標の重み配分は「０」としている。例えば「（ｉ）加入料金プラン：低額」の場合、（Ｈ）の値が「２」であり、（Ａ）〜（Ｇ）の値はゼロである。これは、加入料金プランが低額である端末３０は、「（Ｈ）ネットワーク利用料金」の評価指標を重視し、（Ａ）〜（Ｇ）の評価指標は無視することを意味している。なお、図１４の「各バンドの特性を示す評価指標ごとの重み配分」のテーブルと、図１５の「端末又はサービスの特徴と各バンドの特性を示す評価指標との関係を示す重み配分」のテーブルは、管理装置１０のメモリ等に予め格納されている前提である。
【００７８】
算出部２０４は、端末３０の特徴又は／及び利用するサービスの特徴に応じて、図１５のテーブルの中から１以上の項目を選択する。例えば、算出部２０４は、端末３０の移動速度が低速であり、端末３０が音声サービスを利用している場合、図１５の（ｂ）及び（ｆ）の項目を選択する。また、例えば、算出部２０４は、端末３０の移動速度が高速であり、端末３０がストリーミングを利用しており、加入料金プランが高額である場合、図１５の（ａ）、（ｇ）及び（ｈ）の項目を選択する。これらの選択方法はあくまで一例であり、算出部２０４は、どのような方法で項目を選択するようにしてもよい。
【００７９】
算出部２０４は、選択された端末３０の特徴又は／及び利用するサービスの特徴に対応する項目の重み配分と、各バンドの特性を示す評価指標ごとの重み配分とを乗算し、乗算結果を正規化することで、バンドごとの「重み係数」を算出する。
【００８０】
図１６は、重み係数の算出例を示す図である。図１６の例は、図１５の（ｂ）及び（ｆ）の項目が選択された場合の重み係数の算出例を示している。算出部２０４は、評価指標ごとに計算を行い、総和を正規化することでバンドごとの「重み係数」を算出する。
【００８１】
なお、「重み係数」は、上記の例に限られず、予め固定された重み係数が適用されてもよい。この場合、同一の重み係数が適用されてもよいし、特定のバンドに偏った重み係数が適用されてもよい。例えば、同一の重み係数が適用される場合、ＵＨＦのバンド：ＳＨＦのバンド：ＥＨＦのバンド：無線ＬＡＮのバンドの重み係数は、それぞれ、０．２５：０．２５：０．２５：０．２５になる。図１３に戻り説明を続ける。
【００８２】
管理装置１０の選択部２０３は、「重み係数」に基づいて、バンドごとに１つずつ選択された接続先セルの中から最終的な接続先セルを１つ選択する（Ｓ２０５）。
【００８３】
より具体的には、選択部２０３は、バンドごとに１つずつ選択された接続先セルの各々に対応する２種類のパラメータのうち、少なくともいずれか一方の値を「重み係数」を用いて補正し、バンドごとに１つずつ選択された接続先セルを第一の実施の形態における"接続候補セル"とみなすことで、第一の実施の形態と同様の選択方法を用いて最終的な接続先セルを１つ選択する。以下、図を参照しつつ複数の具体例を説明する。
【００８４】
（選択方法の具体例（その２−１））
以下の説明（以下の他の具体例も同様）では、「接続候補セル」は、第一の実施の形態とは異なり、バンドごとに１つずつ選択された接続先セルを示す意味で用いる。また、「接続先セル」は、第一の実施の形態とは異なり、バンドごとに１つずつ選択された接続先セルの中から選択された"最終的な接続先セル"を示す意味で用いる。
【００８５】
選択方法の具体例（その２−１）では、接続候補セルに関する２種類のパラメータは、接続候補セルのＳＩＮＲと、接続候補セルに接続している端末数（接続端末数）である。また、選択部２０３は、接続候補セルごとの接続端末数、及び、接続候補セルごとのＳＩＮＲのうちいずれか一方又は両方を「重み係数」で補正する。
【００８６】
より具体的には、補正後の接続端末数（以下、「補正接続端末数」と呼ぶ）は、「補正接続端末数＝接続端末数×（１−重み係数）」の式を用いて算出される。例えば「重み係数」が図１６に示す値の場合、ＵＨＦのバンドの接続候補セルの補正接続端末数は、接続端末数×（１−０．３７２）である。また、ＳＨＦのバンドの接続候補セルの補正接続端末数は、接続端末数×（１−０．２１８）である。他のバンドも同様である。
【００８７】
また、補正後のＳＩＮＲ（以下、「補正ＳＩＮＲ」と呼ぶ）は、「補正ＳＩＮＲ＝ＳＩＮＲ＋最大ＳＩＮＲ（Ｐ１）×重み係数」の式を用いて算出される。
【００８８】
選択方法の具体例（その２−１）では、選択部２０３は、ＳＩＮＲ（又は補正ＳＩＮＲ）が「Ｐ１−ＣＴ」以上であり、かつ、接続端末数（又は補正接続端末数）が少ない接続候補セルを接続先セルとして選択する。接続端末数（又は補正接続端末数）が少ない接続候補セルとは、接続端末数（又は補正接続端末数）が最も多い接続候補セル以外の接続候補セルでもよいし、接続端末数（又は補正接続端末数）が最も少ない接続候補セルでもよい。
【００８９】
また、選択方法の具体例（その２−１）では、第一の実施の形態における選択方法の具体例（その１−１）と同様の方法によりセルの探索を行うことで、接続端末数（又は補正接続端末数）が少ない接続候補セルを接続先セルとして選択することができる。
【００９０】
図１７は、接続端末数が補正された場合の選択方法の具体例を示している。図１７の例に示すように、Ｃ１〜Ｃ５の接続候補セルのうち、ＳＩＮＲが「Ｐ１−ＣＴ」以上であるＣ１〜Ｃ４の接続候補セルが抽出される。選択部２０３は、抽出された接続候補セルのうち、ＳＩＮＲが最も大きい接続候補セル（Ｃ１）の補正接続端末数と、２番目にＳＩＮＲが大きい接続候補セル（Ｃ２）の補正接続端末数とを比較する。続いて、選択部２０３は、２番目にＳＩＮＲが大きい接続候補セル（Ｃ２）の補正接続端末数と、３番目にＳＩＮＲが大きい接続候補セル（Ｃ３）の補正接続端末数とを比較する。続いて、選択部２０３は、４番目にＳＩＮＲが大きい接続候補セル（Ｃ３）の補正接続端末数と、４番目にＳＩＮＲが大きい接続候補セル（Ｃ４）の補正接続端末数とを比較する。ここで、４番目にＳＩＮＲが大きい接続候補セル（Ｃ４）の補正接続端末数が、３番目にＳＩＮＲが大きい接続候補セル（Ｃ３）の補正接続端末数よりも大きいため、３番目にＳＩＮＲが大きい接続候補セル（Ｃ３）が最終的な接続先セルとして選択される。
【００９１】
図１８は、ＳＩＮＲが補正された場合の選択方法の具体例を示している。図１８の例に示すように、Ｃ１〜Ｃ５の接続候補セルのうち、補正ＳＩＮＲが「Ｐ１−ＣＴ」以上であるＣ１〜Ｃ５の接続候補セルが抽出される。選択部２０３は、抽出された接続候補セルのうち、補正ＳＩＮＲが最も大きい接続候補セル（Ｃ１）の接続端末数と、２番目に補正ＳＩＮＲが大きい接続候補セル（Ｃ２）の接続端末数とを比較する。続いて、選択部２０３は、２番目に補正ＳＩＮＲが大きい接続候補セル（Ｃ２）の接続端末数と、３番目に補正ＳＩＮＲが大きい接続候補セル（Ｃ３）の接続端末数とを比較する。ここで、３番目に補正ＳＩＮＲが大きい接続候補セル（Ｃ３）の接続端末数が、２番目に補正ＳＩＮＲが大きい接続候補セル（Ｃ２）の接続端末数よりも大きいため、２番目に補正ＳＩＮＲが大きい接続候補セル（Ｃ２）が最終的な接続先セルとして選択される。
【００９２】
（選択方法の具体例（その２−２））
選択方法の具体例（その２−２）では、接続候補セルに関する２種類のパラメータは、接続候補セルのＳＩＮＲと、接続候補セルの利用可能帯域である。また、選択部２０３は、接続候補セルごとのＳＩＮＲ、及び、接続候補セルごとの利用可能帯域のうちいずれか一方又は両方を「重み係数」で補正する。
【００９３】
より具体的には、補正後の利用可能帯域（以下、「補正利用可能帯域」と呼ぶ）は、「補正利用可能帯域＝利用可能帯域×（１＋重み係数×補正値）」の式を用いて算出される。ここで、「補正値」は、重み係数による補正量を調整したい場合に設定される値である。「補正値」は無くてもよい。
【００９４】
また、補正後のＳＩＮＲ（以下、「補正ＳＩＮＲ」と呼ぶ）は、「補正ＳＩＮＲ＝ＳＩＮＲ＋最大ＳＩＮＲ（Ｐ１）×重み係数」の式を用いて算出される。
【００９５】
選択方法の具体例（その２−２）では、選択部１０３は、ＳＩＮＲ（又は補正ＳＩＮＲ）が「Ｐ１−ＣＴ」以上であり、かつ、利用可能帯域（又は補正利用可能帯域）が多い接続候補セルを接続先セルとして選択する。利用可能帯域（又は補正利用可能帯域）が多い接続候補セルとは、利用可能帯域（又は補正利用可能帯域）が最も少ない接続候補セル以外の接続候補セルでもよいし、利用可能帯域（又は補正利用可能帯域）が最も多い接続候補セルでもよい。
【００９６】
また、選択方法の具体例（その２−２）では、第一の実施の形態における選択方法の具体例（その１−２）と同様の方法によりセルの探索を行うことで、利用可能帯域（又は補正利用可能帯域）が多い接続候補セルを接続先セルとして選択することができる。
【００９７】
図１９は、利用可能帯域が補正された場合の選択方法の具体例を示している。図１９の例に示すように、Ｃ１〜Ｃ５の接続候補セルのうち、ＳＩＮＲが「Ｐ１−ＣＴ」以上であるＣ１〜Ｃ４の接続候補セルが抽出される。選択部２０３は、抽出された接続候補セルのうち、受信ＳＩＮＲが最も大きい接続候補セル（Ｃ１）の補正利用可能帯域と、２番目にＳＩＮＲが大きい接続候補セル（Ｃ２）の補正利用可能帯域とを比較する。続いて、選択部１０３は、２番目にＳＩＮＲが大きい接続候補セル（Ｃ２）の補正利用可能帯域と、３番目にＳＩＮＲが大きい接続候補セル（Ｃ３）の補正利用可能帯域とを比較する。続いて、選択部１０３は、３番目にＳＩＮＲが大きい接続候補セル（Ｃ３）の補正利用可能帯域と、４番目にＳＩＮＲが大きい接続候補セル（Ｃ４）の補正利用可能帯域とを比較する。ここで、次にＳＩＮＲが大きい接続候補セルが存在しないため、４番目にＳＩＮＲが大きい接続候補セル（Ｃ４）が接続先セルとして選択される。
【００９８】
以上、第二の実施の形態について説明した。第二の実施の形態によれば、多様なＲＡＴを適用可能な複数のバンドで複数のセルがオーバーレイされた環境において、端末３０における接続先セルの選択及びセル間の負荷分散制御を適切に行うことが可能になる。また、端末３０の特徴又は／及び利用するサービスの特徴を考慮して算出された重み係数を用いて最終的な接続先セルの選択を行うようにしたことで、各ユーザに最適な接続先セルの選択を実現することが可能になる。
【００９９】
＜まとめ＞
以上、実施の形態によれば、接続先のセルを選択する情報処理装置であって、複数のバンドのうち特定のバンドに属する複数のセルであって接続先の候補である複数のセルの各々に関する第一のパラメータと第二のパラメータとを取得する取得部と、前記複数のセルの中から接続先のセルを選択する選択部と、を有し、前記選択部は、前記接続先の候補である複数のセルのうち、前記第一のパラメータが所定の値以上である複数のセルについて、該複数のセルの各々に関する前記第二のパラメータの値の大きさを比較することで、前記第一のパラメータが所定の値以上である複数のセルの中から接続先のセルを選択する、情報処理装置が提供される。この情報処理装置により、端末が接続可能な複数の候補セルのうち、接続先セルの選択を適切に行うことを可能とする技術が提供される。
【０１００】
また、前記第一のパラメータは、セルの受信品質であり、前記第二のパラメータは、接続中の端末数、又は、セルにおける最大スループットから該セルで確立されている１以上のコネクションあたりの平均通信速度を減算することで算出される利用可能帯域若しくセルにおけるシステム帯域幅から該セルで確立されている１以上のコネクションあたりの平均消費帯域幅を減算することで算出される利用可能帯域であるようにしてもよい。これにより、セルの受信品質及び接続中の端末数、又は、セルの受信品質及び利用可能帯域の２軸のパラメータを用いて接続先セルの選択を行うことが可能になり、従来のセルラネットワークを対象にしたセル選択制御よりも適切にセル選択を行うことが可能になる。
【０１０１】
また、前記選択部は、前記接続先の候補である複数のセルのうち、セルの受信品質の値が、該接続先の候補である複数のセルの受信品質の値のうち最大の値から所定の閾値を減算することで求められる所定の値以上である複数のセルについて、該複数のセルの各々に関する接続中の端末数が最も多いセル以外のセルを、接続先のセルとして選択するようにしてもよい。これにより、受信品質が良好であるセルであっても、接続中の端末数が多いセルについては接続先セルの対象外とすることが可能になる。
【０１０２】
また、前記選択部は、前記複数のバンドのいずれかに属する複数のセルであって接続先の候補である複数のセルの中から前記複数のバンドごとに接続先のセルを選択し、前記複数のバンドごとに選択された複数の接続先のセルの各々に関する前記第一のパラメータ及び前記第二のパラメータのうち少なくともいずれか一方のパラメータに対してバンドごとの重み係数を用いて重みづけを行い、前記複数のバンドごとに選択された複数の接続先のセルのうち、前記第一のパラメータが所定の値以上である該複数の接続先セルについて、該複数の接続先セルの各々に関する前記第二のパラメータの値の大きさを比較することで、前記第一のパラメータが所定の値以上である該複数の接続先セルの中から、最終的な接続先セルを選択するようにしてもよい。これにより、多様なＲＡＴを適用可能な複数のバンドで複数のセルがオーバーレイされた環境において、端末３０における接続先セルの選択及びセル間の負荷分散制御を適切に行うことが可能になる。
【０１０３】
また、前記バンドごとの重み係数を算出する算出部、を有し、前記算出部は、前記複数のバンドの特性を示す評価指標ごとの重み配分と、端末又はサービスの特徴と前記評価指標との関係を示す重み配分とを乗算することで前記バンドごとの重み係数を算出するようにしてもよい。これにより、端末３０の特徴又は／及び利用するサービスの特徴を考慮して算出された重み係数を用いて最終的な接続先セルの選択を行うことができ、各ユーザに最適な接続先セルの選択を実現することが可能になる。
【０１０４】
また、前記バンドごとの重み係数は、前記バンドごとに予め定められた値であるようにしてもよい。これにより、特定のバンドに対してバイアスをかけたいようなケース（例えば、特定のバンドに端末３０を集中させたいようなケース）に対応することが可能になる。
【０１０５】
＜実施形態の補足＞
以上各実施の形態において、ＳＩＮＲは、セルの受信品質を示すパラメータであれば他のパラメータに置き換えてもよい。例えば、ＳＮＲでもよいし、ＲＳＲＰでもよいし、ＲＳＳＩでもよいし、ＲＳＲＱでもよい。
【０１０６】
以上各実施の形態は、ＬＴＥ、ＬＴＥ−Ａ、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１０７】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１０８】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１０９】
本明細書で使用する「第１の」、「第２の」などの呼称を使用した要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【０１１０】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。
【０１１１】
各実施の形態において、管理装置１０、基地局２０又は端末３０は、情報処理装置の一例である。
【符号の説明】
【０１１２】
１０  管理装置
２０  基地局
３０  端末
１０１  通信部
１０２  取得部
１０３、２０３  選択部
２０４  算出部
１００１  プロセッサ
１００２  メモリ
１００３  ストレージ
１００４  通信装置
１００５  入力装置
１００６  出力装置
【図１】
0006676453.tif 000002
【図２】
0006676453.tif 000003
【図３】
0006676453.tif 000004
【図４】
0006676453.tif 000005
【図５】
0006676453.tif 000006
【図６】
0006676453.tif 000007
【図７】
0006676453.tif 000008
【図８】
0006676453.tif 000009
【図９】
0006676453.tif 000010
【図１０】
0006676453.tif 000011
【図１１】
0006676453.tif 000012
【図１２】
0006676453.tif 000013
【図１３】
0006676453.tif 000014
【図１４】
0006676453.tif 000015
【図１５】
0006676453.tif 000016
【図１６】
0006676453.tif 000017
【図１７】
0006676453.tif 000018
【図１８】
0006676453.tif 000019
【図１９】
0006676453.tif 000020